(57)【要約】【課題】  起動までの時間を短くするととともにバッテリを有効に利用すること。【解決手段】  デジタルスチルカメラは、バッテリから電力の供給を受けて駆動するレンズ駆動部、手振れ補正ユニット、イメージセンサ、ＬＣＤを含む複数の負荷手段と、バッテリの残量を検出する検出手段（Ｓ０１）と、複数の負荷手段を制御する制御部１１と、を備え、制御部１１は、起動までの時間の異なる第１および第２のシーケンスのうちから検出された残量が少ないほど起動までの時間の長いシーケンスを選択し、選ばれたシーケンスに従って複数の負荷手段を初期化する（Ｓ０２、Ｓ０３）。【選択図】        図２
2011013721.tif 000002
【特許請求の範囲】
【請求項１】
バッテリから電力の供給を受けて駆動する複数の負荷手段と、
前記バッテリの残量を検出する検出手段と、
前記複数の負荷手段を制御する制御手段と、を備え、
前記制御手段は、起動までの時間の異なる複数のシーケンスのうちから前記検出された残量が少ないほど起動までの時間の長いシーケンスを選択し、選ばれたシーケンスに従って前記複数の負荷手段を初期化する、電子機器。
【請求項２】
前記制御手段は、前記複数の負荷手段をそれぞれ初期化する複数の処理の少なくとも２つを並列して実行可能であり、
前記複数のシーケンスは、並列して実行する少なくとも２つの処理の組み合わせが異なる、請求項１に記載の電子機器。
【請求項３】
バッテリから電力の供給を受けて駆動する複数の負荷手段を備えた電子機器で実行される起動方法であって、
前記バッテリの残量を検出するステップと、
起動までの時間の異なる複数のシーケンスのうちから前記検出された残量が少ないほど起動までの時間の長いシーケンスを選択するステップと、
前記選択されたシーケンスに従って前記複数の負荷手段を初期化するステップと、を含む起動方法。
【請求項４】
バッテリから電力の供給を受けて駆動する複数の負荷手段を備えた電子機器を制御するコンピュータで実行される起動プログラムであって、
前記バッテリの残量を検出するステップと、
起動までの時間の異なる複数のシーケンスのうちから前記検出された残量が少ないほど起動までの時間の長いシーケンスを選択するステップと、
前記選択されたシーケンスに従って前記複数の負荷手段を初期化するステップと、を前記コンピュータに実行させる起動プログラム。
【発明の詳細な説明】
【技術分野】
【０００１】
この発明は、電子機器、起動方法および起動プログラムに関し、特にバッテリで駆動する電子機器、その電子機器を起動するための起動方法および起動プログラムに関する。
【背景技術】
【０００２】
電子機器は、電源が投入されると、駆動するための準備として初期化処理を実行する。例えば、デジタルスチルカメラは、レンズ駆動ユニット、撮像素子駆動ユニット、ＬＣＤ駆動ユニット、手振れ補正ユニット等を備えており、それらを初期化する。通常は、電子機器が起動するまでの時間を短くするために、レンズ駆動ユニット、撮像素子駆動ユニット、ＬＣＤ駆動ユニット、手振れ補正ユニット等を初期化する処理が並行して実行される。
【０００３】
しかしながら、起動時の消費電力が大きくなるのでバッテリが過負荷状態となり、瞬間的に出力が遮断される場合がある。特に、バッテリに残存する容量が少ない場合にバッテリの出力が瞬間的に遮断されることが多い。このため、バッテリに電力が蓄電されているにもかかわらず、瞬間的に出力が遮断されてしまい、起動することができない場合があるといった問題がある。
【０００４】
なお、最大電流を小さくする技術として、特開平６−１３８３５８号公報には、第１および第２のモータが同時に駆動されるときには、第１および第２のモータに対する通電位相が互いに重ならないように両モータを時分割駆動する光学機器のモータ制御方法が記載されている。
【特許文献１】特開平６−１３８３５８号公報
【発明の概要】
【発明が解決しようとする課題】
【０００５】
この発明は、上述した問題点を解決するためになされたもので、この発明の目的の１つは、起動までの時間を短くするととともにバッテリを有効に利用することが可能な電子機器を提供することである。
【０００６】
この発明の他の目的は、起動までの時間を短くするととともにバッテリを有効に利用することが可能な起動方法を提供することである。
【０００７】
この発明の他の目的は、起動までの時間を短くするととともにバッテリを有効に利用することが可能な起動プログラムを提供することである。
【課題を解決するための手段】
【０００８】
上述した目的を達成するためにこの発明のある局面によれば、電子機器は、バッテリから電力の供給を受けて駆動する複数の負荷手段と、バッテリの残量を検出する検出手段と、複数の負荷手段を制御する制御手段と、を備え、制御手段は、起動までの時間の異なる複数のシーケンスのうちから検出された残量が少ないほど起動までの時間の長いシーケンスを選択し、選ばれたシーケンスに従って複数の負荷手段を初期化する。
【０００９】
この局面に従えば、バッテリの残量が検出され、バッテリの残量が少ないほど起動までの時間の長いシーケンスに従って複数の負荷手段が初期化される。起動までの時間の短いシーケンスで初期化する場合、起動までの時間の長いシーケンスで初期化する場合に比較して、最大消費電力が大きい。バッテリの残量が少ないときに起動までの時間の長いシーケンスに従って初期化すれば、バッテリが過負荷になるのを防止することがきる。また、バッテリの残量が多いときに起動までの時間の短いシーケンスに従って初期化してもバッテリが過負荷になることなく、起動までの時間を短くすることができる。その結果、起動までの時間を短くするととともにバッテリを有効に利用することが可能な電子機器を提供することができる。
【００１０】
好ましくは、制御手段は、複数の負荷手段をそれぞれ初期化する複数の処理の少なくとも２つを並列して実行可能であり、複数のシーケンスは、並列して実行する少なくとも２つの処理の組み合わせが異なる。
【００１１】
この発明の他の局面によれば起動方法は、バッテリから電力の供給を受けて駆動する複数の負荷手段を備えた電子機器で実行される起動方法であって、バッテリの残量を検出するステップと、起動までの時間の異なる複数のシーケンスのうちから検出された残量が少ないほど起動までの時間の長いシーケンスを選択するステップと、選択されたシーケンスに従って複数の負荷手段を初期化するステップと、を含む。
【００１２】
この局面に従えば、起動までの時間を短くするととともにバッテリを有効に利用することが可能な起動方法を提供することができる。
【００１３】
この発明のさらに他の局面によれば、起動プログラムは、バッテリから電力の供給を受けて駆動する複数の負荷手段を備えた電子機器を制御するコンピュータで実行される起動プログラムであって、バッテリの残量を検出するステップと、起動までの時間の異なる複数のシーケンスのうちから検出された残量が少ないほど起動までの時間の長いシーケンスを選択するステップと、選択されたシーケンスに従って複数の負荷手段を初期化するステップと、をコンピュータに実行させる。
【００１４】
この局面に従えば、起動までの時間を短くするととともにバッテリを有効に利用することが可能な起動プログラムを提供することができる。
【発明を実施するための形態】
【００１５】
以下、本発明の実施の形態について図面を参照して説明する。以下の説明では同一の部品には同一の符号を付してある。それらの名称および機能も同じである。従ってそれらについての詳細な説明は繰り返さない。
【００１６】
本実施の形態においては、電子機器の一例としてデジタルスチルカメラを説明する。なお、電子機器は、デジタルスチルカメラに限られず、バッテリで駆動する装置であれば、例えば、ビデオカメラ、携帯電話機、音楽プレーヤ、ナビゲーション装置、ＰＤＡ（Ｐｅｒｓｏｎａｌ  Ｄｉｇｉｔａｌ  Ａｓｓｉｓｔａｎｔｓ）、パーソナルコンピュータ等であってもよい。
【００１７】
図１は、本発明の実施の形態の１つにおけるデジタルスチルカメラの構成の概略を示すブロック図である。図１を参照して、デジタルスチルカメラ１は、デジタルスチルカメラ１の全体を制御する制御部１１と、レンズ１３と、レンズ１３を駆動するレンズ駆動部１５と、手振れ補正ユニット１７と、イメージセンサ１９と、液晶表示装置（ＬＣＤ）２３と、コーデック（ＣＯＤＥＣ）２１と、画像処理する信号処理回路２２と、制御部１１が実行するためのプログラム等を記憶するＲＯＭ（Ｒｅａｄ  Ｏｎｌｙ  Ｍｅｍｏｒｙ）２５と、制御部１１の作業領域として用いられるＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２７と、メモリカード２９Ａが装着されるカードインターフェース（Ｉ／Ｆ）２９と、デジタルスチルカメラ１の全体に電力を供給するバッテリ３１と、を含む。
【００１８】
レンズ１３は、レンズ駆動部１５により制御される。レンズ１３は、デジタルスチルカメラ１が駆動していないときは、本体内部に収納されている。レンズ駆動部１５は、起動時の初期化処理において、レンズ１３を本体外部に突出させる。さらに、レンズ１３は、ズーム機構を有し、レンズ駆動部１５は、起動時の初期化処理において、レンズ１３のズーム量を定めるために、レンズ１３のズーム機構を基準位置に配置させる。
【００１９】
イメージセンサ１９は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の光電変換素子であり、レンズ１３を介して結像する被写体像の画像を光電変換した画像データを制御部１１に出力する。制御部１１は、イメージセンサ１９から出力される画像データを受け付け、ＳＤＲＡＭ２７に記憶する。ここでの画像データは、例えば、１画素がＲ（赤）Ｇ（緑）Ｂ（青）で構成されるビットマップ形式のデータである。なお、イメージセンサ１９は、ＣＭＯＳイメージセンサに限定されるものではなく、ＣＣＤ（Ｃｈａｒｇｅ  Ｃｏｕｐｌｅｄ  Ｄｅｖｉｃｅ）イメージセンサを用いてもよい。イメージセンサ１９は、所定の時間間隔で１フレームの画像データを出力する。フレームとは、動画像を構成する単位であり、１フレームは１枚の画像を意味する。また、フレームはフィールドに置き換えることができる。所定の時間間隔とは、フレームレートが５ＦＰＳであれば、１／５秒である。
【００２０】
信号処理回路２２は、ＳＤＲＡＭ２７に記憶された画像データを読み出し、画像データに対して種々の信号処理を施し、輝度信号と色差信号とで表される表色系のＹＵＶ形式に変換する。信号処理回路２２は、ＹＵＶ形式の画像データをＳＤＲＡＭ２７に記憶する。
【００２１】
制御部１１は、ＳＤＲＡＭ２７に記憶されたＹＵＶ形式の画像データからコンポジット映像信号を生成し、ＬＣＤ２３に出力する。これにより、ＬＣＤ２３にイメージセンサ１９が被写体を撮像して出力する画像が表示される。なお、ＬＣＤ２３に代えて、有機ＥＬ（ＥｌｅｃｔｒｏＬｕｍｉｎｅｓｃｅｎｃｅ）ディスプレイを用いてもよい。
【００２２】
コーデック２１は、制御部１１により制御され、ＳＤＲＡＭ２７に記憶されたＹＵＶ形式の画像データを読出し、圧縮符合化し、画像データを圧縮符号化した符号化データをＳＤＲＡＭ２７に記憶する。ここでは、１フレームごとに圧縮符号化された符号化データがＳＤＲＡＭ２１に順に記憶される。なお、コーデック２１は、動画像を記憶する場合、ＭＰＥＧ（Ｍｏｖｉｎｇ  Ｐｉｃｔｕｒｅ  Ｅｘｐｅｒｔｓ  Ｇｒｏｕｐ）圧縮方式で、複数のフレームを圧縮符号化する。この場合には、ＧＯＰ（Ｇｒｏｕｐ  ｏｆ  Ｐｉｃｔｕｒｅ）単位で圧縮符号化された符号化データがＳＤＲＡＭ２１に記憶される。
【００２３】
手振れ補正ユニット１７は、ジャイロセンサなどの検出素子を備え、デジタルスチルカメラ１の振動によって生じる角速度成分に応じてイメージセンサ１９を駆動して被写体のぶれを防止する。なお、イメージセンサ１９に代えて、またはこれに加えてレンズ１３を駆動するようにしてもよい。手振れ補正ユニット１７は、制御部１１により制御され、起動時の初期化処理において、ジャイロセンサの初期化およびイメージセンサ１９を初期位置に移動させる等の処理を実行する。
【００２４】
カードＩ／Ｆ２９は、不揮発性メモリを備えたメモリカード２９Ａが装着される。制御部１１は、カードＩ／Ｆ２９を介して、メモリカード２９Ａにアクセス可能であり、ＳＤＲＡＭ２７に記憶された符号化データをメモリカード２９Ａに記憶する。
【００２５】
制御部１１は、ＲＯＭ２５に記憶された起動プログラムを実行することにより、デジタルスチルカメラ１を起動する。ここで、起動とは、電源の投入後に、デジタルスチルカメラ１を撮像可能な状態にすることを言う。デジタルスチルカメラ１は、撮像可能な状態において、イメージセンサ１９から出力される画像が、ＬＣＤ２３に表示される。ここでは、制御部１１は、デジタルスチルカメラ１を起動する際に、レンズ１３を初期化する処理、イメージセンサ１９を初期化する処理、ＬＣＤ２３を初期化する処理、手振れ補正ユニット１７を初期化する処理、例えば、カードＩ／Ｆ２９等のその他の部分を初期化する処理（以下「その他の部分を初期化する処理」という）を、実行する。ここでは、電源が投入されてからすべての初期化処理が終了するまでの期間を起動期間という。
【００２６】
なお、起動プログラムをＲＯＭ２５に記憶する例を説明するが、ＲＯＭ２５に限られず、メモリカード２９Ａに記憶された起動プログラムを実行するようにしても良い。さらに、起動プログラムを記憶する記録媒体としては、メモリカード２９Ａに限られず、磁気テープ、フレキシブルディスク、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などであってもよい。
【００２７】
バッテリ３１は、一次電池または二次電池であり、デジタルスチルカメラ１の全体に電力を供給する。制御部１１は、バッテリ３１の出力電圧Ｖ１を検出し、バッテリ３１の残容量を算出する。バッテリ３１は、デジタルスチルカメラ１本体に着脱可能であってもよい。
【００２８】
図２は、起動処理の流れの一例を示すフローチャートである。起動処理は、デジタルスチルカメラ１に電源が投入された後に、制御部１１が起動プログラムを実行することにより、制御部１１により実行される処理である。図２を参照して、制御部１１は、バッテリ３１の出力電圧Ｖ１がしきい値Ｔ以上か否かを判断する。しきい値Ｔは、予め定められた値であり、ここでは、バッテリ３１の残容量が半分のときの出力電圧としている。バッテリ３１の残容量と出力電圧Ｖ１との関係は予めわかっているので、出力電圧Ｖ１からバッテリ３１の残容量を算出することができる。換言すれば、ステップＳ０１においては、バッテリ３１の残容量が所定の容量、ここでは半分以上か否かを判断する。
【００２９】
バッテリ３１の出力電圧Ｖ１がしきい値Ｔ以上ならば処理をステップＳ０２に進めるが、そうでなければ処理をステップＳ０３に進める。ステップＳ０２においては、第１シーケンスに従って初期化処理を実行し、処理を終了する。一方ステップＳ０３においては、第２シーケンスに従って初期化処理を実行し、処理を終了する。
【００３０】
第１シーケンスおよび第２シーケンスは、レンズ１３、イメージセンサ１９、手振れ補正ユニット１７、ＬＣＤ２３およびその他の部分をそれぞれ初期化する初期化処理の順番を定めるもので、予め定められている。第１シーケンスと第２シーケンスとは、制御部１１が第１シーケンスに従って初期化処理を実行する場合の最大消費電力が、第２シーケンスに従って初期化処理を実行する場合の最大消費電力よりも大きくなるように予め定められる。このため、制御部１１が第１シーケンスに従って初期化処理を実行する起動時間は、第２シーケンスに従って初期化処理を実行する起動時間よりも短くなる。
【００３１】
制御部１１は、レンズ１３、イメージセンサ１９、手振れ補正ユニット１７、ＬＣＤ２３およびその他の部分をそれぞれ初期化する５つの初期化処理の２以上を並列して実行することが可能である。第１シーケンスと第２シーケンスとで並行して実行する初期化処理の組み合わせが異なる。具体的には、第２シーケンスにおいては、レンズ１３、イメージセンサ１９、手振れ補正ユニット１７、ＬＣＤ２３およびその他の部分をそれぞれ初期化する５つの初期化処理のうち少なくとも２つを並行して実行しないようにする。より具体的には、第２シーケンスは、最大消費電力の大きな、レンズ１３を初期化する処理と手振れ補正ユニット１７を初期化する処理とを並行して実行しないように初期化処理の順番を定めるが、第１シーケンスはそれらを並行して実行するように初期化処理の順番を定める。レンズ１３、イメージセンサ１９、手振れ補正ユニット１７、ＬＣＤ２３およびその他の部分それぞれはバッテリ３１から電源が供給されるので、それらを初期化する処理を並行して実行する第１シーケンスは、バッテリ３１が過負荷状態となりやすい。一方、第２シーケンスは、レンズ１３を初期化する処理と手振れ補正ユニット１７を初期化する処理とを並行して実行しないので、第１シーケンスに比較してバッテリ３１が過負荷状態となりにくい。
【００３２】
また、第１シーケンスは、第２シーケンスに比較して、レンズ１３、イメージセンサ１９、手振れ補正ユニット１７、ＬＣＤ２３およびその他の部分をそれぞれ初期化する５つの初期化処理を並行して実行する数が多くなるように初期化処理の順番を定めるようにしてもよい。
【００３３】
なお、ここでは、レンズ１３、イメージセンサ１９、手振れ補正ユニット１７、ＬＣＤ２３およびその他の部分それぞれを初期化する場合の第１シーケンスおよび第２シーケンスを例に説明するが、初期化する処理の組み合わせを限定するものではない。起動時のシーケンスは、同一駆動源であるバッテリ３１から電力の供給を受けて駆動する部分を駆動する処理の順番を定める組み合わせであればよい。例えば、メモリカード２９Ａが装着されるカードＩ／Ｆ２９の初期化、ストロボ充電処理、起動音出力処理などの組み合わせによるシーケンスとすることができる。
【００３４】
図３（Ａ）は、第１シーケンスに従って実行される初期化処理を時系列で示す図であり、図３（Ｂ）は、第１シーケンスに従って初期化処理が実行される場合のバッテリの出力電圧の時間的な変化を示す図である。図３（Ａ）を参照して、まず、その他の部分を起動する初期化処理が開始し、その後、手振れ補正ユニット１７、ＬＣＤ２３、レンズ１３、イメージセンサ１９の順に初期化処理が開始される。期間Ａにおいては、その他の部分、手振れ補正ユニット１７、ＬＣＤ２３、レンズ１３、イメージセンサ１９をそれぞれ起動する５つの初期化処理が並行して実行される。
【００３５】
図３（Ｂ）を参照して、実行される初期化処理が増えるに従って、消費電力が大きくなるので、バッテリ３１の出力電圧が降下する。起動処理が開始される直前のバッテリ３１の出力電圧Ｖ１がＶ３の場合、バッテリ３１の出力電圧Ｖ１が瞬断のしきい値Ｔｈｒよりも小さくならないので、起動処理を最後まで実行することができる。しかしながら、起動処理が開始される直前のバッテリ３１の出力電圧Ｖ１が、Ｖ３よりも小さいＶ２の場合、時刻ｔ１において、バッテリ３１の出力電圧Ｖ１が瞬断のしきい値Ｔｈｒよりも小さくなり、バッテリ３１が放電しなくなる。この場合、時刻ｔ１において初期化処理が中止されてしまう。
【００３６】
図４（Ａ）は、第２シーケンスに従って実行される初期化処理を時系列で示す図であり、図４（Ｂ）は、第２シーケンスに従って初期化処理が実行される場合のバッテリの出力電圧の時間的な変化を示す図である。図４（Ａ）を参照して、まず、その他の部分を起動する初期化処理が開始し、手振れ補正ユニット１７およびＬＣＤ２３を初期化する処理が並行して実行される。手振れ補正ユニット１７を初期化する処理が終了した後にレンズ１３を初期化する処理が開始され、その後の一部の機関において、その他の部分、レンズ１３およびイメージセンサ１９それぞれを起動する初期化処理が並列して実行される。第２シーケンスに従って実行される初期化処理は、手ぶれ補正ユニット１７およびレンズ１３それぞれを起動する初期化処理は並行して実行されない。
【００３７】
図４（Ｂ）を参照して、手振れ補正ユニット１７を初期化する処理が実行されている間は、レンズ１３を初期化する処理が実行されないので、最大消費電力が抑えられる。このため、起動処理が実行される直前のバッテリ３１の出力電圧Ｖ１がＶ２であっても、バッテリ３１の出力電圧Ｖ１はしきい値Ｔｈｒを下回らない。手振れ補正ユニット１７を起動する初期化処理が終了すると、消費電力が少なくなるので、バッテリ３１の出力電圧Ｖ１が上昇する。その後、レンズ１３およびイメージセンサ１９を起動する初期化処理が開始されると、消費電力が大きくなるので、バッテリ３１の出力電圧Ｖ１は降下する。レンズ１３を初期化する処理が実行されている間は、手振れ補正ユニット１７を初期化する処理が実行されないので、最大消費電力が所定の値以下に抑えられる。このため、バッテリ３１の出力電圧は降下するが、しきい値Ｔｈｒを下回らないので、起動処理が開始される直前のバッテリ３１の出力電圧Ｖ１がＶ２であっても、バッテリ３１の出力電圧Ｖ１が瞬断のしきい値Ｔｈｒよりも小さくなることはなく、最後まで起動処理が実行される。
【００３８】
このため、本実施の形態におけるデジタルスチルカメラ１は、バッテリ３１の残容量が半分より小さい場合に、第２シーケンスに従って起動処理を実行するので、起動処理を最後まで実行することが可能なバッテリ３１の残容量を、第１シーケンスに従って初期化処理を実行する場合よりも小さくすることができる。さらに、デジタルスチルカメラ１は、バッテリ３１の残容量が半分以上の場合に、第１シーケンスに従って初期化処理を実行するので、起動時間を第２シーケンスに従って実行される初期化処理を実行するよりも短くすることができる。
【００３９】
なお、ここではしきい値Ｔをバッテリ３１の容量が半分のときの出力電圧としたが、しきい値Ｔは、第２シーケンスに従って初期化処理を実行中にバッテリ３１の出力電圧Ｖ１が瞬断のしきい値Ｔｈｒを下回らない最も小さな値に設定するのが好ましい。これにより、バッテリ３１に蓄電されている電力を可能な限り有効に利用することができる。
【００４０】
また、ここでは、第１シーケンスと第２シーケンスのいずれか一方に従って複数の初期化処理を実行するようにしたが、複数の初期化処理を実行中の最大消費電力が異なる３つ以上のシーケンスのいずれかで初期化処理を実行するようにしてもよい。この場合、３つ以上のシーケンスのいずれを用いるかは、バッテリ３１の出力電圧Ｖ１により定まる。バッテリ３１の出力電圧Ｖ１が高い場合ほど、３つ以上のシーケンスのうち最大消費電力の大きいものを用いる。例えば最大消費電力が第１シーケンスよりも小さく、第２シーケンスよりも大きな第３シーケンスを設ける場合、しきい値Ｔ１と、しきい値Ｔ１よりも大きなしきい値Ｔ２を用いて、バッテリ３１の出力電圧Ｖ１がしきい値Ｔ１以上で第１シーケンスを用い、出力電圧Ｖ１がしきい値Ｔ１より小さくしきい値Ｔ２以上で第３シーケンスを用い、出力電圧Ｖ１がしきい値Ｔ２より小さい場合に第２シーケンスを用いる。このようにすることで、バッテリ３１を有効に利用するとともに、デジタルスチルカメラ１の起動時間をできるだけ短くすることができる。
【００４１】
なお、上述した実施の形態においては電子機器の一例としてデジタルスチルカメラ１を説明したが、図２に示した起動処理を実行するための起動方法およびその起動方法をコンピュータに実行させるための起動プログラムとして発明を捉えることができるのはいうまでもない。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４３】
＜付記＞
（１）  前記複数のシーケンスは、起動までの時間が長いほど最大消費電力が小さい、請求項２に記載の電子機器。
（２）  前記複数のシーケンスは、起動までの時間が長いほど並列して実行する少なくとも２つの処理の数が少ない、請求項２に記載の電子機器。
【図面の簡単な説明】
【００４４】
【図１】本発明の実施の形態の１つにおけるデジタルスチルカメラの構成の概略を示すブロック図である。
【図２】起動処理の流れの一例を示すフローチャートである。
【図３】（Ａ）は、第１シーケンスに従って実行される初期化処理を時系列で示す図であり、（Ｂ）は、第１シーケンスに従って初期化処理が実行される場合のバッテリの出力電圧の時間的な変化を示す図である。
【図４】（Ａ）は、第２シーケンスに従って実行される初期化処理を時系列で示す図であり、（Ｂ）は、第２シーケンスに従って初期化処理が実行される場合のバッテリの出力電圧の時間的な変化を示す図である。
【符号の説明】
【００４５】
１  デジタルスチルカメラ、１１  制御部、１３  レンズ、１５  レンズ駆動部、１７  補正ユニット、１９  イメージセンサ、２１  コーデック、２３  ＬＣＤ、２５  ＲＯＭ、２７  ＳＤＲＡＭ、２９  カードＩ／Ｆ、２９Ａ  メモリカード、３１  バッテリ。
【図１】
2011013721.tif 000003
【図２】
2011013721.tif 000004
【図３】
2011013721.tif 000005
【図４】
2011013721.tif 000006